(57)【要約】【課題】テレビジョン受像機において、接続された再生装置を使用する際のユーザによる使い勝手を良くする。【解決手段】ＨＤＭＩ規格に対応したＴＶ受像機及びＤＶＤレコーダがＨＤＭＩケーブルを介して接続される。ＴＶ受像機は、メモリ内の命令コマンドをＤＶＤレコーダに送信する（Ｓ１）。そして、ＤＶＤレコーダは、受信した命令コマンドに基いて所定のコマンドをＴＶ受像機２に返す（Ｓ３）。そして、ＴＶ受像機は、ＤＶＤレコーダから受信したコマンドが実行不可通知コマンドでない場合（Ｓ５でＮＯ）、送信した命令コマンドをＤＶＤレコーダは実行可能である旨を記憶する（Ｓ６）。そして、ＴＶ受像機は、メモリ内の命令コマンドの全てをＤＶＤレコーダに送信すると（Ｓ７でＹＥＳ）、上記Ｓ６で記憶した内容に基づき、ＤＶＤレコーダが実行可能な命令コマンドの一覧情報をディスプレイにＯＳＤ表示する（Ｓ８）。【選択図】図５
2011135499.tif 000002
【特許請求の範囲】
【請求項１】
家電制御プロトコルに基づく命令コマンドを受信すると共に、受信した命令コマンドに基づく命令を実行できない場合に実行不可通知コマンドを送信する再生装置と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、
各種画像を表示する表示手段と、
前記再生装置に対して、家電制御プロトコルに基づく命令コマンドを送信する送信手段と、
前記再生装置から送信された前記実行不可通知コマンドを受信する受信手段と、
前記送信手段を用いて送信可能である複数の命令コマンドを記憶する命令コマンド記憶手段と、
装置各部を制御する制御手段とを備えるテレビジョン受像機において、
前記受信手段によって前記実行不可通知コマンドが受信されたか否かに基づき、前記再生装置側で命令コマンドを実行可能か否か判断する実行可否判断手段をさらに備え、
前記制御手段は、
前記送信手段を用いて、前記命令コマンド記憶手段に記憶された各命令コマンドを前記再生装置に送信すると共に、前記実行可否判断手段を用いて、該送信手段により送信した命令コマンドを前記再生装置が実行可能であるか否かを判断する一連の動作を、前記命令コマンド記憶手段に記憶された全ての命令コマンドを該送信手段を用いて該再生装置に送信するまで繰り返した後、
前記命令コマンド記憶手段に記憶された複数の命令コマンドのうち、前記実行可否判断手段によって前記再生装置が実行可能であると判断された命令コマンドの一覧を前記表示手段に表示することを特徴とするテレビジョン受像機。
【請求項２】
前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格であることを特徴とする請求項１に記載のテレビジョン受像機。
【発明の詳細な説明】
【技術分野】
【０００１】
本発明は、ＨＤＭＩ−ＣＥＣ（Ｈｉｇｈ  Ｄｅｆｉｎｉｔｉｏｎ  ＭｕｌｔｉｍｅｄｉａＩｎｔｅｒｆａｃｅ−Ｃｏｎｓｕｍｅｒ  Ｅｌｅｃｔｒｏｎｉｃｓ  Ｃｏｎｔｒｏｌ）規格に対応したコマンドを送受信可能なテレビジョン受像機に関する。
【背景技術】
【０００２】
近年、ＨＤＭＩ−ＣＥＣ規格に基づく命令コマンドを送受信可能なＣＥＣ対応機器が普及している。この種のＣＥＣ対応機器は、受信した命令コマンドに基づく命令を実行することができる。ところで、ＣＥＣ対応機器は、メーカや機種タイプによって実行可能な命令コマンドが異なるため、例えばユーザの指示操作に基づいて送信された命令コマンドを実行できないことがある。従って、ユーザによる指示操作が無駄になることがあり、ユーザにとって使い勝手が悪いという問題がある。
【０００３】
これに対して、特許文献１には、外部機器の機種を特定する機器種別情報と、規格対応情報とを受信し、受信した各情報に基づき、連動操作情報の一覧を表示する映像表示装置が開示されている。しかしながら、この映像表示装置では、外部機器が実行可能である命令コマンドをユーザが知ることができないため、上記問題を解決できない。
【０００４】
また、特許文献２には、外部装置の機能情報を受信し、受信した機能情報に基づいて外部装置の機能動作の一覧を表示する情報処理装置が開示されている。しかしながら、この装置では、外部装置が実行可能である命令コマンドをユーザが知ることができないため、上記問題を解決できない。
【０００５】
ところで、特許文献３には、外部装置が接続される接続部と、その接続部に外部装置が接続されているか否かを確認するための確認コマンドを出力するコマンド出力手段とを備え、外部装置の接続状態を明確に判断することが可能な接続状況確認装置が開示されている。しかしながら、この装置では、外部装置が実行可能である命令コマンドをユーザが知ることができないため、上記問題を解決できない。
【０００６】
また、特許文献４には、外部機器と通信するための送受信部を備え、外部機器からベンダーＩＤを受信し、ベンダーＩＤを製造者の文字列に変換して、外部機器の製造者名称および機器の種別の一覧を表示する映像表示装置が開示されている。しかしながら、この装置では、外部機器が実行可能である命令コマンドをユーザが知ることができないため、上記問題を解決できない。
【先行技術文献】
【特許文献】
【０００７】
【特許文献１】特許第４３３１２４９号
【特許文献２】特開２００９−１４６３８４号公報
【特許文献３】特開２００８−２５２４５２号公報
【特許文献４】特開２００９−２２５３０６号公報
【発明の概要】
【発明が解決しようとする課題】
【０００８】
本発明は、上述した問題点を解決するためになされたものであり、接続された再生装置を使用する際のユーザによる使い勝手を良くすることが可能なテレビジョン受像機を提供することを目的とする。
【課題を解決するための手段】
【０００９】
上記目的を達成するために請求項１の発明は、家電制御プロトコルに基づく命令コマンドを受信すると共に、受信した命令コマンドに基づく命令を実行できない場合に実行不可通知コマンドを送信する再生装置と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、各種画像を表示する表示手段と、前記再生装置に対して、家電制御プロトコルに基づく命令コマンドを送信する送信手段と、前記再生装置から送信された前記実行不可通知コマンドを受信する受信手段と、前記送信手段を用いて送信可能である複数の命令コマンドを記憶する命令コマンド記憶手段と、装置各部を制御する制御手段とを備えるテレビジョン受像機において、前記受信手段によって前記実行不可通知コマンドが受信されたか否かに基づき、前記再生装置側で命令コマンドを実行可能か否か判断する実行可否判断手段をさらに備え、前記制御手段は、前記送信手段を用いて、前記命令コマンド記憶手段に記憶された各命令コマンドを前記再生装置に送信すると共に、前記実行可否判断手段を用いて、該送信手段により送信した命令コマンドを前記再生装置が実行可能であるか否かを判断する一連の動作を、前記命令コマンド記憶手段に記憶された全ての命令コマンドを該送信手段を用いて該再生装置に送信するまで繰り返した後、前記命令コマンド記憶手段に記憶された複数の命令コマンドのうち、前記実行可否判断手段によって前記再生装置が実行可能であると判断された命令コマンドの一覧を前記表示手段に表示するものである。
【００１０】
また、請求項２の発明は、請求項１に記載のテレビジョン受像機において、前記家電制御プロトコルが、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格のものである。
【発明の効果】
【００１１】
本発明によれば、命令コマンド記憶手段に記憶された各命令コマンドを再生装置に送信して、命令コマンドを再生装置が実行可能であるか否かを判断する一連の動作を、命令コマンド記憶手段に記憶された全ての命令コマンドを再生装置に送信するまで繰り返す。そして、命令コマンド記憶手段に記憶された複数の命令コマンドのうち、再生装置が実行可能であると判断された命令コマンドの一覧を表示する。そのため、テレビジョン受像機に接続された再生装置を使用する際に、ユーザは、再生装置が実行可能である命令コマンドを容易に知ることができるため、使い勝手が良い。
【図面の簡単な説明】
【００１２】
【図１】本発明の第１実施形態に係るＴＶ受像機と、このＴＶ受像機に接続されたＤＶＤレコーダとを含むコマンド通信システムを示す概略構成図。
【図２】上記ＴＶ受像機の内部構成を示すブロック図。
【図３】上記ＴＶ受像機を操作するためのリモコンを示す上面図。
【図４】上記ＤＶＤレコーダの内部構成を示すブロック図。
【図５】上記ＴＶ受像機における実行可能コマンド表示処理の手順を示すフローチャート。
【図６】上記ＴＶ受像機のディスプレイに表示されるＯＳＤ画面の一例を示す説明図。
【図７】本発明の第２実施形態に係るＴＶ受像機と、このＴＶ受像機に接続されたＤＶＤレコーダとを含むコマンド通信システムにおけるＴＶ受像機の実行可能コマンド表示処理の手順を示すフローチャート。
【図８】上記ＴＶ受像機のディスプレイに表示されるＯＳＤ画面の一例を示す説明図。
【発明を実施するための形態】
【００１３】
以下、本発明の各実施形態に係るテレビジョン受像機について、図面を参照して説明する。まず、本発明の第１の実施形態に係るテレビジョン受像機について、図１乃至図４を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたＤＶＤレコーダ（再生装置）３とを含むコマンド通信システム１の概略構成を示す。図２は、ＴＶ受像機２の内部構成を示し、図３は、ＴＶ受像機２に対して各種動作指示を行うためのリモコン５の上面を示す。図４は、ＤＶＤレコーダ３の内部構成を示す。
【００１４】
ＴＶ受像機２及びＤＶＤレコーダ３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した機器であり、それぞれＨＤＭＩ−ＣＥＣ規格に基づくコマンドと、コマンドに対するレスポンスデータとを送受信可能である。
【００１５】
ＴＶ受像機２は、ユーザによるリモコン５の操作に応じた、ＨＤＭＩ−ＣＥＣ規格に基づく命令コマンドを、ＨＤＭＩケーブル４を介してＤＶＤレコーダ３に送信可能である。すなわち、ユーザは、リモコン５を操作することによりＴＶ受像機２を介してＤＶＤレコーダ３に各種動作指示を行うことができる。
【００１６】
図２に示すように、ＴＶ受像機２は、放送局から放送されるＴＶ放送信号に基づくＴＶ番組を受信するチューナ部２１と、チューナ部２１によって受信されたＴＶ番組やＤＶＤレコーダ３から受信したＴＶ番組の映像を表示するディスプレイ（表示手段）２２と、ＴＶ番組の音声を出力するスピーカ２３と、リモコン５から送信される操作信号を受信するリモコン信号受信部２４とを備える。また、ＴＶ受像機２は、ＴＶ受像機２の筐体外部に露出するように設けられたＨＤＭＩ端子部２５と、各種情報が記憶されるメモリ（命令コマンド記憶手段）２６と、ＴＶ受像機２の各部を制御するための制御用マイコン（制御手段）２７とをさらに備える。
【００１７】
ＨＤＭＩ端子部２５には、ＤＶＤレコーダ３と接続されたＨＤＭＩケーブル４の一端が接続される。メモリ２６には、制御用マイコン２７を動作させるためのプログラム２６ａと、複数の命令コマンド２６ｂとが記憶される。命令コマンド２６ｂは、ＤＶＤレコーダ３に送信可能なＨＤＭＩ−ＣＥＣ規格に基づくコマンドである。
【００１８】
制御用マイコン２７は、映像出力部２７ａと、ＯＳＤ出力部２７ｂと、音声出力部２７ｃと、通信部（送信手段、受信手段）２７ｄと、コマンド実行可否判断部（実行可否判断手段）２７ｅとを有し、ユーザによるリモコン５の操作等に基づいて自装置を動作させる。また、制御用マイコン２７は、ＨＤＭＩケーブル４を介して接続されたＤＶＤレコーダ３が実行可能な命令コマンドの一覧を表示する処理（以下、実行可能コマンド表示処理という）を行う。
【００１９】
映像出力部２７ａは、チューナ部２１によって受信されたＴＶ番組の映像や、ＨＤＭＩケーブル４を介してＤＶＤレコーダ３から受信したＴＶ番組の映像をディスプレイ２２に出力する。ＯＳＤ出力部２７ｂは、各種の文字列や画像等から構成されるＯＳＤ（Ｏｎ  Ｓｃｒｅｅｎ  Ｄｉｓｐｌａｙ）画面をディスプレイ２２に出力する。
【００２０】
音声出力部２７ｃは、チューナ部２１によって受信されたＴＶ番組の音声や、ＨＤＭＩケーブル４を介してＤＶＤレコーダ３から受信したＴＶ番組の音声をスピーカ２３に出力する。
【００２１】
通信部２７ｄは、ＤＶＤレコーダ３に対して各種コマンド及びレスポンスデータの送受信を行う。具体的には例えば、ＤＶＤレコーダ３に対して、電源オン／オフを指示する命令コマンドや、ＤＶＤディスクｄの再生を指示する命令コマンドや、録画を指示する命令コマンド等を送信する。また、通信部２７ｄは、ＤＶＤレコーダ３から、受信した命令コマンドに基づく命令を実行できない旨を示すコマンド（以下、実行不可通知コマンドという）等を受信する。
【００２２】
コマンド実行可否判断部２７ｅは、通信部２７ｄによってＤＶＤレコーダ３に送信された命令コマンドについて、ＤＶＤレコーダ３が実行可能か否か判断する処理を行う。具体的には、ＤＶＤレコーダ３に命令コマンドを送信した後、ＤＶＤレコーダ３から実行不可通知コマンドが受信されたか否かに基づき上記の判断を行う。
【００２３】
リモコン５は、図３に示すように、「０」乃至「９」の１０個の数字に対応する「０」〜「９」までの数字ボタン５１ａ〜５１ｊと、入力した文字や数字を消去するクリアボタン５２と、上下左右の各方向に操作可能な十字ボタン５３（５３ａ〜５３ｄの総称）とを有する。また、リモコン５は、各種入力を確定するための決定ボタン５４と、再生ボタン５５と、録画ボタン５６と、メニューボタン５７と、ＴＶ電源ボタン５８と、ＤＶＤレコーダ電源ボタン５９と、ＴＶ受像機２に対してユーザによる操作に応じた操作信号を送信するための信号送信部５０とをさらに有する。
【００２４】
再生ボタン５５は、ＤＶＤレコーダ３に対してＤＶＤディスクｄの再生を指示するためのものである。録画ボタン５６は、ＤＶＤレコーダ３に対してＤＶＤディスクｄにＴＶ番組の録画を行うように指示するためのものである。メニューボタン５７は、各種動作の選択画面であるメニュー画面をディスプレイ２２に表示させるためのものである。ユーザはメニュー画面上の各種動作を選択することにより、ＴＶ受像機２に対して、例えば、実行可能コマンド判断処理の実行開始等を指示することができる。
【００２５】
ＴＶ電源ボタン５８は、ＴＶ受像機２に対して電源のオン／オフを指示するためのボタンである。ＤＶＤレコーダ電源ボタン５９は、ＤＶＤレコーダ３に対して電源のオン／オフを指示するためのボタンである。ユーザによってＤＶＤレコーダ電源ボタン５９が操作されると、ＴＶ受像機２の通信部２７ｄが電源オン／オフを指示する旨の命令コマンドをＤＶＤレコーダ３に送信する。
【００２６】
図４に示すように、ＤＶＤレコーダ３は、放送局から放送されるＴＶ放送信号に基づくＴＶ番組を受信するチューナ部３１と、ユーザによって操作されるボタン等を有する操作部３２と、ＤＶＤレコーダ３の筐体外部に露出するように設けられたＨＤＭＩ端子部３３と、各種情報を記憶するメモリ３４と、ＤＶＤディスクｄが装着される光ディスクドライブ３５と、装置各部の制御を行う制御用マイコン３６とを備える。
【００２７】
ＨＤＭＩ端子部３３には、ＴＶ受像機２と接続されたＨＤＭＩケーブル４の他端が接続される。メモリ３４には、制御用マイコン３６を動作させるためのプログラム３４ａが記憶される。
【００２８】
光ディスクドライブ３５は、コンテンツが記録されたＤＶＤディスクｄが内部に装着され、ＤＶＤディスクｄからコンテンツを読み出す処理（再生処理）や、ＤＶＤディスクｄにコンテンツを書き込む処理（録画処理）を行う。
【００２９】
制御用マイコン３６は、再生処理部３６ａと、録画処理部３６ｂと、通信部３６ｃとを有し、ユーザによる操作部３２の操作や、ＴＶ受像機２から受信した命令コマンドの内容に基づいて自装置を動作させる。
【００３０】
再生処理部３６ａは、光ディスクドライブ３５によってＤＶＤディスクｄから読み出されたコンテンツの再生を行い、再生されたコンテンツの映像信号及び音声信号をＨＤＭＩケーブル４を介してＴＶ受像機２に出力する処理を行う。
【００３１】
録画処理部３６ｂは、チューナ部３１によって受信したＴＶ番組を、光ディスクドライブ３５を用いてＤＶＤディスクｄに録画する処理を行う。
【００３２】
通信部３６ｃは、ＴＶ受像機２に対してＨＤＭＩ−ＣＥＣ規格に基づくコマンド及びレスポンスデータの送受信を行う。具体的には例えば、通信部３６ｃは、ＴＶ受像機２から送信された命令コマンドの受信を行う。また、通信部３６ｃは、実行不可通知コマンドや、受信した命令コマンドが実行可能である旨を示すコマンド（以下、受信通知コマンドという）や、受信した命令コマンドを実行中である旨を示すコマンド（実行中通知コマンド）等をＴＶ受像機２に対して送信する。
【００３３】
次に、ＴＶ受像機２における実行可能コマンド表示処理について、図５及び図６を参照して説明する。図５は、実行可能コマンド表示処理の手順を示すフローチャートである。図６は、ディスプレイ２２に表示されるＯＳＤ画面の一例を示す。
【００３４】
まず、ＴＶ受像機２の制御用マイコン２７は、通信部２７ｄを用いて、メモリ２６に記憶された命令コマンド２６ｂの１つをＤＶＤレコーダ３に送信する（Ｓ１）。そして、ＤＶＤレコーダ３の制御用マイコン３６は、通信部３６ｃを用いて、ＴＶ受像機２から送信された命令コマンドを受信し（Ｓ２）、受信した命令コマンドに基いて所定のコマンドをＴＶ受像機２に送信する（Ｓ３）。すなわち、ＴＶ受像機２から受信した命令コマンド（レスポンスデータ）を実行可能である場合、受信通知コマンドをＴＶ受像機２に送信し、また、ＴＶ受像機２から受信した命令コマンドを実行中である場合、実行中通知コマンドをＴＶ受像機２に送信する。また、ＴＶ受像機２から受信した命令コマンドに基づく命令を実行できない場合、実行不可通知コマンドをＴＶ受像機に送信する。
【００３５】
そして、ＴＶ受像機２の制御用マイコン２７は、通信部２７ｄを用いて、ＤＶＤレコーダ３から送信された所定のコマンドを受信すると共に、コマンド実行可否判断部２７ｅを用いて、受信したコマンドが実行不可通知コマンドであるか否かを判断する（Ｓ４）。この判断の結果、実行不可通知コマンドを受信した場合（Ｓ５でＹＥＳ）、前回とは別の命令コマンドをＤＶＤレコーダ３に送信して、このコマンドについて上記Ｓ１乃至Ｓ５の処理を繰り返す。
【００３６】
一方、上記Ｓ４の判断の結果、実行不可通知コマンドを受信していない場合（Ｓ５でＮＯ）、ＴＶ受像機２の制御用マイコン２７は、送信した命令コマンドをＤＶＤレコーダ３は実行可能である旨を記憶する（Ｓ６）。具体的には例えば、ＤＶＤレコーダ３の電源のオン／オフ制御を行うコマンド（以下、電源制御コマンドという）をＤＶＤレコーダ３に送信した後に（Ｓ１に相当）、ＤＶＤレコーダ３から「受信通知コマンド」を受信した場合（Ｓ５でＮＯ）、制御用マイコン２７は、ＤＶＤレコーダ３は、電源制御コマンドを実行可能である旨の情報を記憶する（Ｓ６に相当）。
【００３７】
そして、ＴＶ受像機２の制御用マイコン２７は、メモリ２６内の命令コマンド２６ｂの全てをＤＶＤレコーダ３に送信した場合（Ｓ７でＹＥＳ）、ＯＳＤ出力部２７ｂを用いて、上記Ｓ６で記憶した内容に基づき、ＤＶＤレコーダ３が実行可能である命令コマンドの一覧情報をディスプレイ２２にＯＳＤ表示する（Ｓ８）。具体的には例えば、図６に示すようなＯＳＤ画面をディスプレイ２２に表示する。
【００３８】
一方、ＴＶ受像機２の制御用マイコン２７は、メモリ２６の命令コマンド２６ｂの全てをＤＶＤレコーダ３に送信していない場合（Ｓ７でＮＯ）、未だ送信していない命令コマンドについて上記Ｓ１以降の処理を繰り返す。
【００３９】
上述したように、本実施形態に係るＴＶ受像機２においては、メモリ２６に記憶された命令コマンド２６ｂの各々をＤＶＤレコーダ３に送信して、命令コマンドをＤＶＤレコーダ３が実行可能であるか否かを判断する一連の動作を、メモリ２６に記憶された全ての命令コマンド２６ｂをＤＶＤレコーダ３に送信するまで繰り返す。そして、メモリ２６に記憶された複数の命令コマンド２６ｂのうち、ＤＶＤレコーダ３が実行可能であると判断された命令コマンドの一覧をディスプレイ２２にＯＳＤ表示する。そのため、ＴＶ受像機２に接続されたＤＶＤレコーダ３を使用する際に、ユーザは、ＤＶＤレコーダ３が実行可能である命令コマンドを容易に知ることができるため、使い勝手が良い。
【００４０】
また、ＴＶ受像機２とＤＶＤレコーダ３とは、ＣＥＣ規格に従ってコマンドの送受信を行うので、独自プロトコルに対応した専用機器や専用ソフトウェア等の導入コストをかける必要がない。従って、ＴＶ受像機２とＤＶＤレコーダ３との製造コストを抑制することができる。
【００４１】
次に、本発明の第２の実施形態に係るＴＶ受像機について、図７及び図８を参照して説明する。本実施形態に係るＴＶ受像機２及びＤＶＤレコーダ３を含むコマンド通信システム１は、上記図１乃至図４に示す第１の実施形態と同様のハードウェア構成であり、その構成の説明を省略する。
【００４２】
本実施形態のＴＶ受像機２における実行可能コマンド表示処理について、図７及び図８を参照して説明する。図７は、ＴＶ受像機２における実行可能コマンド表示処理の手順を示すフローチャートである。図８は、ＴＶ受像機２のディスプレイ２２に表示されるＯＳＤ画面の一例を示す。図７に示す実行可能コマンド表示処理における処理Ｓ１１〜Ｓ１７は、第１の実施形態に係るＴＶ受像機の実行可能コマンド表示処理（図５）における処理Ｓ１〜Ｓ７と同様であるため、その説明を省略し、処理Ｓ１８以降について説明する。
【００４３】
ＴＶ受像機２の制御用マイコン２７は、メモリ２６内の命令コマンド２６ｂの全てをＤＶＤレコーダ３に送信した場合（Ｓ１７でＹＥＳ）、Ｓ１６で記憶した内容に基づき、ＤＶＤレコーダ３が実行可能である命令コマンドと、ユーザによるリモコン５の操作によって指示可能であるコマンドとを対応させる（Ｓ１８）。そして、ＤＶＤレコーダ３で実行可能で、かつ、リモコン５でＤＶＤレコーダ３に指示可能な命令コマンドの一覧情報を、ＯＳＤ出力部２７ｂを用いて、ディスプレイ２２にＯＳＤ表示する（Ｓ１９）。具体的には例えば、図８に示すようなＯＳＤ画面をディスプレイ２２に表示する。この一覧表では、リモコン５の操作及びその操作に対応する命令コマンドと、リモコン５の操作によるＤＶＤレコーダ３の動作が記載されている。
【００４４】
上述したように、本実施形態に係るＴＶ受像機２においては、ＤＶＤレコーダ３が実行可能であると判断された命令コマンドのうち、リモコン５を用いて操作可能な命令コマンドの一覧をディスプレイ２２にＯＳＤ表示する。そのため、ＴＶ受像機２に接続されたＤＶＤレコーダ３を使用する際に、ユーザは、リモコン５によってＤＶＤレコーダ３を操作可能な命令コマンドを容易に知ることができるため、リモコン５を用いてＤＶＤレコーダ３を操作する際の使い勝手が良い。
【００４５】
なお、本発明は、上記各実施形態の構成に限られず、発明の趣旨を変更しない範囲で種々の変形が可能である。例えば、上記各実施形態において、請求項における再生装置がＤＶＤレコーダである場合の例を示したが、再生装置はこれに限られず、例えばハードディスクレコーダ等のＨＤＭＩ−ＣＥＣ規格に基づくコマンドを送受信可能な装置であればよい。
【符号の説明】
【００４６】
２  ＴＶ受像機
３  ＤＶＤプレーヤ（再生装置）
４  ＨＤＭＩケーブル
２２  ディスプレイ（表示手段）
２６  メモリ（命令コマンド記憶手段）
２７  制御用マイコン（制御手段）
２６ｂ  命令コマンド
２７ｄ  通信部（送信手段、受信手段）
２７ｅ  コマンド実行可否判断部（実行可否判断手段）
【図１】
2011135499.tif 000003
【図２】
2011135499.tif 000004
【図３】
2011135499.tif 000005
【図４】
2011135499.tif 000006
【図５】
2011135499.tif 000007
【図６】
2011135499.tif 000008
【図７】
2011135499.tif 000009
【図８】
2011135499.tif 000010